(57)【要約】【課題】照明設備を備え、簡単に壁面に設置することが可能な表示体を提供する。【解決手段】壁面Ｗに沿って固定されるベース部１１と、ベース部１１の正面側を覆うように配置される発泡樹脂製の表示板１３と、を備えた表示装置１０であり、ベース部１１により支持する表示板１３の照明設備１５と、表示板１３を壁面Ｗから離間してベース部１１により支持する支持部１７と、を備えている。【選択図】図４
2018128629.tif 000002
【特許請求の範囲】
【請求項１】
壁面に沿って固定されるベース部と、前記ベース部の正面側を覆うように配置される発泡樹脂製の表示板と、を備えた表示装置であって、
前記ベース部により支持する前記表示板の照明設備と、
前記表示板を前記壁面から離間して前記ベース部により支持する支持部と、を備えている表示装置。
【請求項２】
前記支持部は、前記ベース部と前記表示板とにそれぞれ固定されて互いに嵌合可能な嵌合対を有している、請求項１に記載の表示装置。
【請求項３】
前記照明設備は、前記ベース部から前記表示板に向けて光を照射する光源部を有し、
前記表示板は、前記光源部からの光を正面側に透過する透過部を有している、請求項１又は２に記載の表示装置。
【請求項４】
前記照明設備は、前記ベース部から前記表示板に向けて光を照射する光源部を有し、
前記支持部は、前記表示板と前記ベース部との間隔をあけて支持可能に構成されている、請求項１又は２に記載の表示装置。
【請求項５】
前記表示板の背面に前記光源部からの光を反射する反射面を有している、請求項４に記載の表示装置。
【請求項６】
前記照明設備は、前記ベース部に支持されて前記表示板の正面側に配置された光源部を有する、請求項１又は２に記載の表示装置。
【発明の詳細な説明】
【技術分野】
【０００１】
本発明は、壁面に固定されたベース部の正面側に発泡樹脂製の表示板を備えた表示体に関する。
【背景技術】
【０００２】
従来、壁面に発泡樹脂製の表示板を備えた表示体を取付ける技術が知られている。
例えば特許文献１では、発泡樹脂からなる第１表示板と硬質材料からなる第２表示板とを備えた表示体を、取付具を用いて壁面に装着されている。
特許文献１では、発泡樹脂からなる第１表示体に第２表示板を積層して強度を確保しており、取付具により第２表示体を壁面に取付けている。
【先行技術文献】
【特許文献】
【０００３】
【特許文献１】実用新案登録第３１６４８０５号公報
【発明の概要】
【発明が解決しようとする課題】
【０００４】
しかしながら、従来の表示体では、暗い場所で表示体を視認し易くするために照明設備を設ける場合、周囲の壁等に設置し、表示体付近に配置した光源により表示体を照射したり、表示体に光源を配置して発光させたりしていた。
【０００５】
発泡樹脂からなる表示体の場合には、表示体の強度を確保し難く、照明設備からの荷重により発泡樹脂の変形や破損が生じ易いため、表示体にはできるだけ荷重を負荷しないようにしていた。
そのため暗い場所で表示体を視認しやすくするためには、照明設備の設置等に手間を要していた。
【０００６】
そこで本発明では、照明設備を備え、簡単に壁面に設置することが可能な表示体を提供することを課題とする。
【課題を解決するための手段】
【０００７】
上記課題を解決する本発明の表示装置は、壁面に沿って固定されるベース部と、ベース部の正面側を覆うように配置される発泡樹脂製の表示板と、を備えた表示装置であって、ベース部により支持する表示板の照明設備と、表示板を壁面から離間してベース部により支持する支持部と、を備えている。
【０００８】
このような表示装置によれば、壁面に固定されるベース部により表示板の照明設備が支持されるとともに、表示板を壁面から離間して支持する支持部がベース部により支持されている。そのためベース部を壁面に確実に固定するだけで、照明により表示できる表示装置を壁面に設置することができる。例えば壁面に照明設備を設置するための電気工事や壁面に表示装置を支持させるための設置工事などを行う必要がない。
従って照明設備を備え、簡単に壁面に設置することが可能な表示装置を提供することができる。
【０００９】
本発明の表示装置では、支持部がベース部と表示板とにそれぞれ固定されて互いに嵌合可能な嵌合対を有していてもよい。
このような表示装置によれば、支持部がベース部と表示板とにそれぞれ固定されて互いに嵌合可能な嵌合対を有しているので、予めベース部と表示板とにそれぞれ嵌合対を取付けておけば、ベース部に表示板を支持する際には、嵌合対を嵌合するだけでよい。そのためベース部を壁面に固定した後で表示板を装着する作業を簡単に行うことができる。
【００１０】
本発明の表示装置では、照明設備がベース部から表示板に向けて光を照射する光源部を有し、表示板は、光源部からの光を正面側に透過する透過部を有していてもよい。
このような表示装置によれば、表示板が光源部からの光を正面側に透過する透過部を有しているので、光源部を点灯することで、表示装置の透過部を透過した光により透過部の形状を表示できる。これにより暗い場所での表示装置の意匠性を向上することができる。
【００１１】
本発明の表示装置では、照明設備がベース部から表示板に向けて光を照射する光源部を有し、支持部は表示板とベース部との間隔をあけて支持可能に構成されていてもよい。
【００１２】
このような表示装置によれば、支持部は表示板とベース部との間隔をあけて支持可能に構成されている。そのため光源部からの光を表示板とベース部との間の間隔から表示装置の周囲へ放出することができる。これにより表示装置の周囲の壁面に光を当てて、暗い表示板を明るい壁面から浮き上がらせて表示することができ、暗い場所での意匠性を一層向上できる。
【００１３】
この場合、表示板の背面に光源部からの光を反射する反射面を有していてもよい。
このように表示板の背面に光源部からの光を反射する反射面を有していると、表示板とベース部との間の間隔から表示装置の周囲へ放射される光を強くすることができ、暗い場所での意匠性を更に向上することができる。
【００１４】
本発明の表示装置では、照明設備がベース部に支持されて表示板の正面側に配置された光源部を有する。
このように照明設備がベース部に支持されて表示板の正面側に配置された光源部を有しているので、暗い場所で光源部からの光を表示板に照射することで、暗い場所での表示板の視認性を向上できる。しかも表示板の正面側に光源部を配置する照明設備がベース部に支持されているので、表示板に照明設備の荷重が負荷されることがない。
【発明の効果】
【００１５】
以上のような本発明の表示装置によれば、照明設備を備え、簡単に壁面に設置することが可能な表示体を提供することができる。
【図面の簡単な説明】
【００１６】
【図１】本発明の第１実施形態に係る表示装置の正面図である。
【図２】（ａ）は本発明の第１実施形態に係る表示装置の左側面図であり、（ｂ）は右側面図である。
【図３】（ａ）は本発明の第１実施形態に係るベース部の正面図であり、（ｂ）は本発明の第１実施形態に係る表示板の正面図である。
【図４】本発明の第１実施形態に係る支持部を説明する断面図であり、（ａ）は支持部を嵌合前の状態を示し、（ｂ）は嵌合状態を示す。
【図５】本発明の第１実施形態に係る嵌合対を示す断面図である。
【図６】本発明の第２実施形態に係る表示装置の斜視図である。
【図７】本発明の第２実施形態に係る表示装置の分解斜視図である。
【発明を実施するための形態】
【００１７】
［第１実施形態］
以下、本発明の実施の形態について、図を用いて詳細に説明する。第１実施形態は表示装置を看板に適用した例である。
図１乃至図３に示すように、第１実施形態の表示装置１０は、壁面Ｗに沿って固定されるベース部１１と、ベース部１１の正面側を覆うように配置される発泡樹脂製の表示板１３と、ベース部１１により支持された表示板１３の照明設備１５と、表示板１３を壁面Ｗから離間してベース部１１により支持する支持部１７と、を備えている。
【００１８】
ベース部１１は、アルミニウム等の金属からなり、図３（ａ）に示すように、正面視で四角形形状に形成されており、横幅方向延びて上端及び下端に設けられた嵌合片１９と、上下の嵌合片１９間を連結して左右に縦方向に延びる縦枠２１と、を備えている。
【００１９】
表示板１３は、発泡スチロール等の発泡樹脂からなり、図３（ｂ）に示すように、ベース部１１以上の大きに形成されており、形状は任意であるが、本実施形態では正面視で楕円形状を有する板状に設けられている。図１に示すように、本実施形態では、表示板１３をベース部１１の正面側に配置することで、ベース部１１全体が正面から覆われて視認されない大きさに形成されている。
【００２０】
正面側には各種の文字や図形等の意匠が設けられており、光源部２３からの光を正面側に透過する透過部２５を有している。透過部２５は中央部分に光を通す半透明の部材と、左右両端部に各種の形状で形成された貫通した透過孔２７と、を有している。
さらに本実施形態では、表示板１３の背面には光源部２３からの光を反射可能な反射面２９が設けられている。
【００２１】
照明設備１５は、図２乃至図４に示すように、ベース部１１から表示板１３に向けて光を照射する光源部２３と、外部からの電力を光源部２３に供給するための給電部３１と、を有している。
光源部２３は、複数のＬＥＤが配列して形成されており、ベース部１１の上下の嵌合片１９間の中間部分に、横幅方向延びて複数列設けられている。光源部２３では壁面Ｗ側から正面側に光を照射するように配置されている。
給電部３１は外部からケーブルを介して給電される電力を、適宜、光源部２３に給電可能にベース部１１の縦枠に装着されている。
【００２２】
支持部１７は、図４に示すように、ベース部１１の正面側と表示板１３の裏面側とに、それぞれ固定されて互いに嵌合可能な嵌合対２０を有している。
嵌合対２０は互いに嵌合可能な形状であれば使用可能であるが、本実施形態では図５に示すように、断面形状が互いに略同一のクランク形状を有して横幅方向に延びた弾性を有する嵌合片により構成されている。各嵌合片１９の各面同士を対向当接させて、一方の嵌合片１９の先端縁１９ａを他方の嵌合片１９の根元に設けられた凹部１９ｂに嵌合することで、固定可能に構成されている。
【００２３】
本実施形態の支持部１７では、図２及び図４に示すように、嵌合対２０を嵌合させた状態で、ベース部１１と表示板１３との間に間隙３３が形成されるように構成されている。間隙３３は例えば嵌合対２０に設けた開口、嵌合対２０とベース部１１又は表示板１３との間に設けた隙間、嵌合対２０の長手方向の一部を切除した隙間などにより形成してもよい。この間隙３３はベース部１１と表示板１３との間で光源部２３を発光させたときに、間隙を通して一部の光が外部に放射されるように構成されている。
【００２４】
このような構成の表示装置１０を壁面Ｗに装着するには、壁面Ｗにベース部１１をビス等で固定し、嵌合片１９を人手により嵌合させることで、ベース部１１に表示板１３を装着する。ベース部１１と表示板１３との間を必要によりビス等で固定する。そして照明設備１５の給電部３１を外部の電源と接続することで、装着が完了する。
この表示装置１０において表示板１３を交換する場合には、嵌合対２０を離脱させて別の表示板の嵌合片１９を嵌合させればよい。
【００２５】
またこの表示装置１０を暗い場所で使用する際には、照明設備１５の光源部２３を点灯させる。すると表示板１３の透過部２５及び透過孔２７から光が外部に放射されて、これらの意匠が視認される。
さらに光源部２３からの光の一部がベース部１１と表示板１３との間の間隙３３から周囲の壁面Ｗに放射される。これにより図１に示すように、表示板１３の周囲の壁面Ｗを明るくして、表示板１３を表示することができる。
【００２６】
以上のような表示装置１０によれば、壁面Ｗに固定されるベース部１１により表示板１３の照明設備１５が支持されるとともに、表示板１３を壁面Ｗから離間して支持する支持部１７がベース部１１により支持されている。そのためベース部１１を壁面Ｗに確実に固定するだけで、照明により表示できる表示装置１０を壁面Ｗに設置することができる。例えば壁面Ｗに照明設備１５を設置するための電気工事や壁面Ｗに表示装置１０を支持させるための設置工事などを行う必要がない。そのため簡単に壁面Ｗに設置することができる。
【００２７】
本実施形態の表示装置１０では、支持部１７がベース部１１と表示板１３とにそれぞれ固定されて互いに嵌合可能な嵌合対２０を有しているので、予めベース部１１と表示板１３とにそれぞれ嵌合対２０を取付けておけば、ベース部１１に表示板１３を支持する際には、嵌合対２０を嵌合するだけでよい。そのためベース部１１を壁面Ｗに固定した後で表示板１３を装着する作業を簡単に行うことができる。
【００２８】
本実施形態の表示装置１０では、照明設備１５がベース部１１から表示板１３に向けて光を照射する光源部２３を有し、表示板１３が光源部２３からの光を正面側に透過する透過部２５を有している。
そのため光源部２３を点灯することで、表示装置１０の透過部２５を透過した光により透過部２５の形状を表示できる。これにより暗い場所での表示装置１０の意匠性を向上することができる。
【００２９】
本実施形態の表示装置１０では、照明設備１５がベース部１１から表示板１３に向けて光を照射する光源部２３を有し、支持部１７が表示板１３とベース部１１との間隔をあけて支持する構成を有している。
そのため光源部２３からの光を表示板１３とベース部１１との間の間隔から表示装置１０の周囲へ放出することができる。これにより表示装置１０の周囲の壁面Ｗに光を当てて、暗い表示板１３を明るい壁面Ｗから浮き上がらせて表示することができ、暗い場所での意匠性を一層向上できる。
【００３０】
本実施形態の表示装置１０では、表示板１３の背面に光源部２３からの光を反射する反射面２９を有しているので、表示板１３とベース部１１との間の間隔から表示装置１０の周囲へ放射される光を強くすることができ、暗い場所での意匠性を更に向上することができる。
【００３１】
［第２実施形態］
次に第２実施形態について図６及び図７を用いて説明する。
この第２実施形態の表示装置１０は、照明設備１５がベース部１１に支持されて表示板１３の正面側に配置された光源部２３を有している。そのためベース部１１内には光源部２３は収容されていない。
その他は第１実施形態と同様である。
【００３２】
このような第２実施形態でも、第１実施形態と同様の作用効果が得られる。
特に第２実施形態であっても、照明設備１５がベース部１１に支持されて表示板１３の正面側に配置された光源部２３を有しているので、暗い場所で光源部２３からの光を表示板１３に照射することで、暗い場所での表示板１３の視認性を向上できる。
しかも正面側に光源部２３を配置する照明設備１５がベース部１１に支持されているため、表示板１３の強度を向上する必要がなく、表示装置１０を壁面Ｗに簡単に装着することが可能である。  
【００３３】
なお上記実施形態は、本発明の範囲内において適宜変更可能である。
例えば上記ではベース部１１として正面視で略四角形のものを使用し、表示板１３として正面視楕円形状のものを使用したが、これらの形状は何ら限定されるものはない。
【符号の説明】
【００３４】
Ｗ  壁面
１０  表示装置
１１  ベース部
１３  表示板
１５  照明設備
１７  支持部
１９  嵌合片
１９ａ  先端縁
１９ｂ  凹部
２０  嵌合対
２１  縦枠
２３  光源部
２５  透過部
２７  透過孔
２９  反射面
３１  給電部
３３  間隙
【図１】
2018128629.tif 000003
【図２】
2018128629.tif 000004
【図３】
2018128629.tif 000005
【図４】
2018128629.tif 000006
【図５】
2018128629.tif 000007
【図６】
2018128629.tif 000008
【図７】
2018128629.tif 000009